(57)【要約】【課題】本発明の目的は、ルアー表面がこれまでにないような新規な光沢を有し、使用時に側面並びに後方に複雑な水流や独特の水切り音を発生させることができるルアーを提供することにある。【解決手段】本発明のルアーは、ルアー表面に有機質粒子及び無機質粒子から選択される１種または２種以上の粒子をランダムに埋め込んだことを構成上の特徴とする。【選択図】　　　　なし【特許請求の範囲】
【請求項１】
ルアー表面に有機質粒子及び無機質粒子から選択される１種または２種以上の粒子をランダムに埋め込んだことを特徴とするルアー。
【請求項２】
有機質粒子が粒状合成オパールである、請求項１記載のルアー。
【請求項３】
粒状合成オパールがポリスチレン−ジビニルベンゼン−ポリメタクリレート樹脂共重合体よりなる、請求項２記載のルアー。
【発明の詳細な説明】
【０００１】
【発明の属する技術分野】
本発明は、スプーン、メタルジグ、プラグ、ミノー、ホッパーのようなルアーや擬餌針（以下、ルアーと総称する）に関し、更に詳細には、新規な光沢を有し、使用時に側面並びに後方に複雑な水流や独特の水切り音を発生させることができる新規なルアーに関するものである。
【０００２】
【従来の技術】
従来、ステンレス、鉄、真鍮、チタン合金等の金属板から構成されるスプーンは、所定の形状の基材原料の上に直接塗装したり、金属箔、箔状の貝殻、樹脂フィルム等を積層した後に塗装するなどして製造されており、最外面は、艶有りまたは艶消し塗装が施されている。また、鉛から構成されるメタルジグは、所定の形状の鉛成形体の上に直接塗装したり、樹脂フィルム等を積層した後に塗装するなどして製造されている。更に、金属、木またはプラスチックから構成されるプラグ、ミノーまたはホッパーは、所定の形状の金属製、木製またはプラスチック製成形体の上に直接塗装したり、金属箔や樹脂フィルム等を積層した後に塗装するなどして製造されている。
【０００３】
また、特開平１０−１６５０４９号公報には、プラスチック又は木材によって餌となる魚に類似する形状に成形し、かつ、該魚に似せて着色してなる本体表面に、透明又は微量の着色を施した半透明のインクによってウロコ模様を印刷してなることを特徴とするルアーが開示されている。更に、特開平１０−１９１８３７号公報には、少なくとも表面が蓄光材料で形成されたルアー本体と、前記ルアー本体の一部が露出しかつ露出部分以外を遮蔽するように前記表面上に形成された着色層と、を備えたルアーが開示されている。
【０００４】
また、メタルジグ、プラグ、ミノー、ホッパーのようなルアーの目の部分には、畜光体を入れたり、光ファイバーと光源とを組み合わせたりして目が発光するようにしたものもある。
【０００５】
また、ルアーに光輝性を有する材質を用いる例として、例えば、実開平４−５２４６８号には、透明な軟質プラスチックにラメなどの光輝性を発揮する素材を充填して成形したことを特徴とするルアーが記載されている。更に、実開平６−７０５６３号には、ベース基材の片面もしくは両面上に、多数の着色された装飾材小片が載置され、載置された装飾材小片相互及びベース基材と該装飾材小片とが接着剤によって一体的に接着され、かつ、少なくとも、接着固定された装飾材小片の外表面が紫外線硬化型樹脂によって被膜形成されていることを特徴とするルアー用基材が記載されている。
【０００６】
【発明が解決しようとする課題】
上述のような構成を有するルアーの表面には、鱗状の凹凸模様が施されているものもあるが、ルアー表面やルアーの後方に複雑な水流や水切り音を発生させるような複雑な表面を有するルアーは現在ない。また、ルアー表面を貝殻や樹脂フィルム等から構成することによりルアー表面に光沢を施したものもあるが、貝殻や樹脂フィルムの表面には透明塗膜が被覆されており、魚の興味をそそるような光沢を有するルアーが少ないのが現状である。
【０００７】
従って、本発明の目的は、ルアー表面がこれまでにないような新規な光沢を有し、使用時に側面並びに後方に複雑な水流や独特の水切り音を発生させることができるルアーを提供することにある。
【０００８】
【課題を解決するための手段】
即ち、本発明のルアーは、ルアー表面に有機質粒子及び無機質粒子から選択される１種または２種以上の粒子をランダムに埋め込んだことを構成上の特徴とする。
【０００９】
また、本発明のルアーは、有機質粒子が粒状合成オパールであることを特徴とする。
【００１０】
更に、本発明のルアーは、粒状合成オパールがポリスチレン−ジビニルベンゼン−ポリメタクリレート樹脂共重合体よりなることを特徴とする。
【００１１】
【発明の実施の形態】
本発明のルアーは、その表面に有機質粒子及び／または無機質粒子をランダムに埋め込んだことを特徴するものである。ルアーの表面に有機質粒子及び／または無機質粒子を埋め込むことによりルアー自体の塗装による色彩を失うことなく、更に、魚の興味をそそるような光沢をルアーに付与することができ、また、ルアー表面やルアーの後方に複雑な水流、渦、泡等や、独特の水切り音を発生させることができる。
【００１２】
本発明のルアーに使用される有機質粒子としては例えばポリスチレン−ジビニルベンゼン−ポリメタクリレート樹脂共重合体のような粒状合成オパールを例示することができる。また、無機質粒子としては例えば人造ルビー粒子、人造サファイヤ粒子、ガラス粒子、貝殻粒等を例示することができる。これらの中で、光沢等の観点から、ポリスチレン−ジビニルベンゼン−ポリメタクリレート樹脂共重合体のような粒状合成オパールの粒子を使用することが特に好ましい。
【００１３】
ここで、有機質粒子及び／または無機質粒子の粒径は、特に限定されるものではなく、粉状のものから粗大粒までルアーの用途、大きさ等を勘案して任意に選択することができる。また、有機質粒子及び／または無機質粒子を埋め込む数も特に限定されるものではない。更に、有機質粒子及び／または無機質粒子の形状も特に限定されるものではなく、角張った形状のものや丸みのある形状のもの等、種々の形状のものが混在していると、複雑な光沢や水流を生ずるために好ましい。例えばルアー表面やルアーの後方に複雑な水流、渦、泡等を多く生じることが好ましい場合には、比較的大きな粒子をルアー表面に埋め込むことが好ましく、また、ルアー表面に光沢の変化を付与したい場合には、比較的細かい粒子と粗い粒子の混合物をルアー表面に埋め込むことが好ましい。
【００１４】
上記粒状合成オパールとしては、例えばポリスチレン−ジビニルベンゼン−ポリメタクリレート樹脂共重合体の粒状物を使用することができ、例えば商品名ファンタストーンＧ−ＳＰ、Ｇ−Ｓ、Ｇ−Ｍ、Ｇ−Ｌ［日本光研工業（株）製］として入手できるものを使用することが好ましい。
【００１５】
本発明のルアーにおいて、有機質粒子及び／または無機質粒子のルアー表面への埋め込み方法は、特に限定されるものではなく、例えばエポキシ樹脂系塗料やアクリル樹脂系塗料をルアー表面に塗布した後に所定の粒径に粒度調整した有機質粒子及び／または無機質粒子の粒子を振りかけて付着させる等の方法によりルアー表面にランダムに埋め込むことができる。
【００１６】
有機質粒子及び／または無機質粒子の粒子を振りかけた後は慣用の方法にて塗料を乾燥させることにより釣りに供することができる。
【００１７】
なお、本発明のルアーは、その形状等を特に限定されるものではなく、スプーン、メタルジグ、プラグ、ミノー、ホッパー等のような慣用のルアーを全て包含するものである。
【００１８】
【実施例】
以下、本発明のルアーを実施例により更に説明する。
実施例１
ミノー（バスデー社製：モーグルクランク）の表面にエポキシ樹脂系塗料を約０．１ｍｍの厚さに塗布し、該エポキシ樹脂系塗布が硬化しない間にポリスチレン−ジビニルベンゼン−ポリメタクリレート樹脂共重合体の粒子（ファンタストーンＧ−Ｌ：粒径１．４〜２．１ｍｍ）をランダム状に振りかけ、その後エポキシ樹脂系塗料を硬化させることにより該粒子がエポキシ樹脂系塗料表面から突出した凹凸表面を有するルアーを得た。その後に、更にエポキシ樹脂系塗料を２回塗布することにより表面に凹凸を有する本発明のルアーを得た。
得られたルアーは、元の塗装に依存して該粒子が種々の光沢を放ち、これまでにない風合いのルアーとなった。更に、このルアーを水中で引いてルアーの動きを観察したところ、ルアーの動きには何ら支障がないことが確認された。また、ポリスチレン−ジビニルベンゼン−ポリメタクリレート樹脂共重合体の粒子が脱落することなく、強度的にも何ら問題はなかった。
【００１９】
実施例２
メタルジグ（キクチクラフト社製：ディープスライダー１５オンス）の表面にエポキシ樹脂系塗料を約０．１ｍｍの厚さに塗布し、該エポキシ樹脂系塗布が硬化しない間にポリスチレン−ジビニルベンゼン−ポリメタクリレート樹脂共重合体の粒子（ファンタストーンＧ−Ｌを粉砕して得られた粒径０．２〜１．５ｍｍ品）をランダム状に振りかけ、その後エポキシ樹脂系塗料を硬化させることにより該粒子がエポキシ樹脂系塗料表面から突出した凹凸表面を有するルアーを得た。その後に、更にエポキシ樹脂系塗料を２回塗布することにより表面に凹凸を有する本発明のルアーを得た。
得られたルアーは、元の塗装に依存して該粒子が種々の光沢を放ち、これまでにない風合いのルアーとなった。また、ポリスチレン−ジビニルベンゼン−ポリメタクリレート樹脂共重合体の粒子が脱落することなく、強度的にも何ら問題はなかった。
【００２０】
【発明の効果】
本発明によれば、ルアー表面にこれまでにないような光沢を付与することができると共に、使用時に側面並びに後方に複雑な水流や独特の水切り音を発生させることができるという効果を奏するものである。